(57)【要約】【課題】正確な燃料消費量およびＣＯ２総排出量の取得が可能な車両運行管理システムを提供する。【解決手段】モード判別手段２５により、車両の加速度に基づき、当該運転時における複数の運転モードを判別し、燃料消費量演算手段２５により、各運転モードごとのエンジン回転数から導出した演算吸入空気量に基づいて、燃料消費量を演算し、ＣＯ２総排出量演算手段２６により、燃料消費量に基づいてＣＯ２総排出量を演算するので、各運転モードに応じた演算吸入空気量を算出することにより、正確な燃料消費量およびＣＯ２総排出量の取得が可能となる。【選択図】図１
2010102699.tif 000002
【特許請求の範囲】
【請求項１】
車両に搭載されて当該車両の運行データを得る車載本体部と、この車載本体部で得られた運行データを解析する解析部を有して車両の運行を管理する管理センタと、車載本体部と管理センタ間を無線通信するための通信手段とを備えた車両運行管理システムであって、
前記車載本体部は、少なくとも車両の加速度、速度およびエンジン回転数を含む車両情報を取得するセンサ部と、前記車両情報および時刻情報を含む運行データを記憶する記録部と、各部を制御する制御部とを有し、
前記管理センタの解析部は、
少なくとも車両の加速度に基づき、当該運転時における複数の運転モードを判別するモード判別手段と、
各運転モードごとのエンジン回転数から導出した演算吸入空気量に基づいて、車両の燃料消費量を演算する燃料消費量演算手段とを有する、
車両運行管理システム。
【請求項２】
請求項１において、
前記管理センタの解析部は、さらに、前記燃料消費量演算手段から得られた燃料消費量に基づいてＣＯ２総排出量を演算するＣＯ２総排出量演算手段を有する、車両運行管理システム。
【請求項３】
請求項１または２において、
前記モード判別手段で判別される複数の運転モードが、アイドリングモード、加速モード、減速モードおよび定速モードを含む、車両運行管理システム。
【請求項４】
請求項１において、
前記センサ部は、さらに、エアコン情報を検知するエアコンセンサを有し、
前記燃料消費量演算手段は、エアコン情報に基づき前記演算吸入空気量を補正して燃料消費量を演算する、車両運行管理システム。
【請求項５】
請求項２において、
前記車載本体部は、演算された燃料消費量およびＣＯ２総排出量の情報を運転者に表示し、燃料消費量およびＣＯ２総排出量が基準値を超えた場合にその旨を警告する、車両運行管理システム。
【発明の詳細な説明】
【技術分野】
【０００１】
本発明は、車両の加速度、速度、エンジン回転数を含む運行データに基づき車両の運行を管理する車両運行管理システムに関し、特に燃料消費量およびＣＯ２総排出量取得に関する。
【背景技術】
【０００２】
従来から、車両に搭載された各種センサにより車両の加速度や速度などの運行データを取得し、この運行データに基づいて安全運転や経済運転などの向上に役立たせる車両運行管理システムが知られており、その一例として、環境負荷の低減を行うために環境負荷の大きさを測定する環境負荷低減システムが知られている（例えば、特許文献１）。
【０００３】
このシステムは、車両に搭載された車載本体部と、車載本体部と通信する管理センタとを有し、前記車載本体部が、車両のエンジン回転数、環境負荷物質の排出濃度、吸気する温度などを測定するセンサ部、および運行管理データを記憶する記録部を有し、管理センタの情報処理部がこの運行管理データに基づいて解析する。
【０００４】
また、他のシステムとして、車両の燃料消費量や運転状況を把握するための車両センサ情報を取得し、その情報を管理センタに無線送信し、管理センタで得られた情報をもとに車両の走行による燃料消費量や、その燃料消費によるＣＯ２総排出量を計算し、その情報に基づき診断・アドバイスするエコドライブ診断システムも知られている（例えば、特許文献２）。
【先行技術文献】
【特許文献】
【０００５】
【特許文献１】特開２００２−１９７１５８号公報
【特許文献２】特開２００４−１５７８４２号公報
【発明の概要】
【発明が解決しようとする課題】
【０００６】
ところで、従来から、例えば車両のＥＣＵ（Electronic Control Units）からの燃料の噴射時間のデータ等を用いて燃費計算を行い、ＣＯ２総排出量を計算することが知られている。燃費（燃料消費率）とは、１ｋｍを走行する際に消費する燃料の量をいう（リットル／ｋｍ）。しかし、ＥＣＵからのデータ自体にばらつきがあり、また走行状況などによってもばらつきがあるため、ＣＯ２総排出量が不正確であるという問題があった。また車両のカタログ表示（１０．１５モード）の燃費は一般的に実燃費と差異があり、ＣＯ２総排出量の計算に用いることは困難である。一方、ＥＣＵを搭載していない車両では、燃料消費量およびＣＯ２総排出量を計算することが一層困難となる。
【０００７】
また、最も一般的に知られている燃費計算である、前回満タンに燃料を給油したのちに走行した距離を今回満タンに給油した燃料の量で割る（燃費＝距離÷給油量）満タン法も、満タンの給油量のばらつきなどから同様に不正確であり、走行中における燃費計算や運転状況などの把握は困難である。
【０００８】
本発明は、前記の問題点を解決して、正確な燃料消費量およびＣＯ２総排出量の取得が可能な車両運行管理システムを提供することを目的とする。
【課題を解決するための手段】
【０００９】
前記目的を達成するために、本発明にかかる車両運行管理システムは、車両に搭載されて当該車両の運行データを得る車載本体部と、この車載本体部で得られた運行データを解析する解析部を有して車両の運行を管理する管理センタと、車載本体部と管理センタ間を無線通信するための通信手段とを備えており、前記車載本体部は、少なくとも車両の加速度、速度およびエンジン回転数を含む車両情報を取得するセンサ部と、前記車両情報および時刻情報を含む運行データを記憶する記録部と、各部を制御する制御部とを有し、前記管理センタの解析部は、少なくとも車両の加速度に基づき、当該運転時における複数の運転モードを判別するモード判別手段と、各運転モードごとのエンジン回転数から導出した演算吸入空気量に基づいて、車両の燃料消費量を演算する燃料消費量演算手段とを有する。ここで、演算吸入空気量とは、各運転モードごとにエンジンの空気吸入状態が相違することから、エンジン回転数に基づく理論吸入空気量に各運転モードの補正値を算入して得たものをいう。
【００１０】
この構成によれば、少なくとも車両の加速度に基づき、当該運転時における複数の運転モードを判別し、各運転モードごとのエンジン回転数から導出した演算吸入空気量に基づいて、燃料消費量を演算するので、各運転モードに応じた演算吸入空気量を算出することにより、車両の運行実態に沿った正確な演算吸入空気量を得ることができ、これに基づいた正確な燃料消費量の取得が可能となる。また、ＥＣＵを搭載していない車両でも正確な燃料消費量を取得できる。
【００１１】
好ましくは、燃料消費量演算手段から得られた燃料消費量に基づいてＣＯ２総排出量を演算するＣＯ２総排出量演算手段を有する。したがって、正確な燃料消費量に基づいて正確なＣＯ２総排出量の取得が可能となる。
【００１２】
好ましくは、前記モード判別手段で判別される複数の運転モードが、アイドリングモード、加速モード、減速モードおよび定速モードを含むものである。したがって、より運行実態に沿った正確な演算吸入空気量を得ることができる。
【００１３】
好ましくは、前記センサ部は、さらに、エアコン情報を検知するエアコンセンサを有し、前記演算手段は、ＣＯ２総排出量をエアコン情報に基づき前記演算吸入空気量を補正する。したがって、ＣＯ２総排出量をこれに影響するエアコン情報に基づいて補正するので、より正確なＣＯ２総排出量を得ることができる。
【００１４】
好ましくは、前記車載本体部は、燃料消費量およびＣＯ２総排出量の情報を運転者に表示し、燃料消費量およびＣＯ２総排出量が基準値を超えた場合にその旨を警告する。ここで、基準値はエコドライブに該当する燃料消費量やＣＯ２総排出量の基準に合致する値をいう。したがって、運転者は当該運行がエコドライブに該当しているか否かを認識できる。
【発明の効果】
【００１５】
本発明の車両運行管理システムは、車両の運行実態に沿った正確な演算吸入空気量を得ることができ、これに基づいた正確な燃料消費量の取得が可能となる。また、ＥＣＵを搭載していない車両でも正確な燃料消費量を取得できる。さらに、正確な燃料消費量に基づいて正確なＣＯ２総排出量の取得が可能となる。
【図面の簡単な説明】
【００１６】
【図１】本発明の一実施形態に係る燃料消費量およびＣＯ２総排出量の取得可能な車両運行管理システムを示す概略構成図である。
【図２】図１のＣＯ２総排出量取得の動作を示すフローチャートである。
【発明を実施するための形態】
【００１７】
以下、本発明の実施形態を図面にしたがって説明する。図１は、本発明の一実施形態に係る燃料消費量およびＣＯ２総排出量の取得が可能な車両運行管理システムを示す概略構成図である。本システムは、車両に搭載されて当該車両の運行データを得る車載本体部１と、この車載本体部１で得られた運行データを解析する解析部２３を有して車両の運行を管理する管理センタ２と、車載本体部１と管理センタ２間を無線通信するための通信手段９とを備えている。
【００１８】
車載本体部１は、車両の加速度を検知する加速度センサ４、速度を検知する速度センサ５、エンジン回転数を検知するエンジン回転数センサ６、およびエアコン情報を検知するエアコンセンサ７のほかに、車両の運行状況を撮影するＣＣＤカメラ、車両位置を検知するＧＰＳ、およびウインカ、ドア、ギア、速度などの車両情報を検出する各種センサ８を含むセンサ部３と、前記車両情報および時刻情報（図示せず）を含む運行データを記憶する記録部１１と、無線通信部１２と、燃料消費量やＣＯ２総排出量などの運行管理情報を表示する表示部１３と、燃料消費量やＣＯ２総排出量が基準値を超えた場合に運転者にその旨をスピーカ等で警告する警告部１４と、各部を制御する制御部（ＣＰＵ）１０とを備えている。
【００１９】
前記加速度センサ４は、例えば前後、左右、上下の３軸方向の加速度を検知し、前記エンジン回転数センサ６は、例えばエンジンの点火コイルの電気信号からエンジン回転数を検知する。前記エアコンセンサ７は、エアコンのＯＮ時の設定温度（夏季、冬季）、強弱などによって生じる負荷に基づくエアコン情報を検知する。
【００２０】
管理センタ２は、前記解析部２３のほかに、データベース２１および無線通信部２２を備えている。車載本体部１の無線通信部１２と管理センタ２の無線通信部２２とにより前記通信手段９を構成する。この通信手段９は、車載本体部１と管理センタ２との間で、例えば車載本体部１に搭載される携帯電話などの端末を利用してインターネットなどのネットワーク網を介して、無線通信を行うもので、これにより、移動車両に対して情報配信サービスが行われる。
【００２１】
前記管理センタ２のデータベース２１では多数の運行データが蓄積され、この蓄積されたデータに基づいて、解析部２３による解析が行われる。その他、蓄積されたデータに基づいて、図示しない運行記録報告日報の作成や、運転の良否診断などが行われる。
【００２２】
前記管理センタ２の解析部２３は、前記車両の加速度に基づき、当該運転時における複数の運転モードを判別するモード判別手段２４と、各運転モードごとのエンジン回転数から導出した演算吸入空気量に基づいて、車両の燃料消費量を演算する燃料消費量演算手段２５と、燃料消費量演算手段２５から得られた燃料消費量に基づいてＣＯ２総排出量を演算するＣＯ２総排出量演算手段２６とを備えている。
【００２３】
前記モード判別手段２４で判別される複数の運転モードは、アイドリングモード、加速モード、減速モードおよび定速モードを含むものである。加速モードとは、所定の加速度でエンジン回転数が大きく車両の速度が大きい状態、減速モードとは、所定の減速度でエンジン回転数が小さく車両の速度が小さい状態をいう。
【００２４】
以下のように、前記燃料消費量演算手段２５は燃料消費量を演算し、前記ＣＯ２総排出量演算手段２６はＣＯ２総排出量を演算する。まず、燃料消費量演算手段２５は理論吸入空気量を演算する。総エンジン回転数はエンジン回転数センサ６から得られる。
理論吸入空気量［Ｎｍ３］
＝総エンジン回転数［回］×（１／２）×エンジン排気量［ｃｃ］÷１０６
【００２５】
つぎに、燃料消費量演算手段２５は、モード判別手段２４により判別された各運転モードごとの演算吸入空気量を演算する。アイドリング時の空気吸入の経路が、通常走行時の経路と異なることや、加速時の演算吸入空気量が通常走行時に対して増加することから、各運転モードの補正値Ｃ１〜Ｃ４を算入することにより、走行実態に沿った正確な演算吸入空気量を得ることができる。また、この演算ではエアコン情報に基づくエアコン係数および機械抵抗損失補正値により補正される。
【００２６】
（ａ）アイドリングモード
演算吸入空気量［Ｎｍ３］
＝理論吸入空気量［Ｎｍ３］×Ｃ１×エアコン係数×機械抵抗損失補正値
（ｂ）加速モード
演算吸入空気量［Ｎｍ３］
＝理論吸入空気量［Ｎｍ３］×Ｃ２×エアコン係数×機械抵抗損失補正値
（ｃ）減速モード
演算吸入空気量［Ｎｍ３］
＝理論吸入空気量［Ｎｍ３］×Ｃ３×エアコン係数×機械抵抗損失補正値
（ｄ）定速モード
演算吸入空気量［Ｎｍ３］
＝理論吸入空気量［Ｎｍ３］×Ｃ４×エアコン係数×機械抵抗損失補正値
【００２７】
前記補正値Ｃ１〜Ｃ４は、演算吸入空気量が理論吸入空気量に対して、アイドリングモードでは７０%以上のロスがあることから、０．１≦Ｃ１≦０．３の範囲内、加速モードでは５０%以上のロスがあることから、０．１≦Ｃ２≦０．５の範囲内、減速モードではフューエル（燃料）カットが働くことから、Ｃ３＝１（つまり補正なし）、定速モードでは５０%以上のロスがあることから、０．１≦Ｃ４≦０．５の範囲内の値である。
【００２８】
また、エアコン係数は、エアコンをＯＮにすることによって生じる負荷に応じて定められ、０．５〜１．０の範囲内の値である。エンジンでの燃焼エネルギがトランスミッションを介して車輪に伝達されることで走行し発生している機械抵抗損失補正値は、エンジン、トランスミッションなどの構造により、０．５〜１．０の範囲内の値である。
【００２９】
つぎに、得られた演算吸入空気量に基づいて、運行ごとに燃料消費重量が演算され、そして、燃料消費量が演算される。下記の理論空気量とは、理論空燃比（最も燃焼効率のよい空燃比）と異なり、燃料が完全に燃焼するために必要な最低の空気量を理論的に算出した値をいう。
燃料消費重量［ｋｇ］
＝演算吸入空気量［Ｎｍ３］÷理論空気量［Ｎｍ３／ｋｇ］
理論空気量は、例えば、燃料をガソリンとするガソリン車両では１１．５５７、燃料を軽油とするディーゼル車両では１１．６９である。
燃料消費量［リットル］
＝燃料消費重量［ｋｇ］÷燃料密度［ｋｇ／リットル］
燃料密度は、例えば、燃料をガソリンとするガソリン車両では０．７５、燃料を軽油とするディーゼル車両では０．８である。
【００３０】
最後に、得られた燃料消費量に基づいて、運行ごとのＣＯ２総排出量が演算される。
ＣＯ２総排出量［ｋｇ］
＝燃料消費量［リットル］×燃料１リットル当たりのＣＯ２排出重量［ｋｇ／リットル］
燃料１リットル当たりのＣＯ２排出重量は、例えば、燃料をガソリンとするガソリン車両では２．３、燃料を軽油とするディーゼル車両では２．６である。なお、ディーゼル車両は、少量の燃料を高圧で燃やすことができ、ガソリン車両と比べて燃費が２〜３割良いので、ＣＯ２総排出量も少なくなる。
【００３１】
以下、図２のフローチャートを用いて、本システムのＣＯ２総排出量演算手段２６の動作について説明する。
まず、車載本体部１のセンサ部３により車両の加速度、速度、エンジン回転数、エアコン情報等の車両情報、および時刻情報を含む運行データが取得される（ステップＳ１）。この運行データは、車載本体部１から管理センタ２に無線通信され、管理センタ２のデータベース２１に蓄積される（ステップＳ２）。
【００３２】
つぎに、管理センタ２の解析部２３で運行データが解析され、各運転モードが判別され、燃料消費量演算手段２５により得られた燃料消費量に基づいてＣＯ２総排出量が演算される（ステップＳ３）。得られたＣＯ２総排出量は、運転中などに車載本体部１に通信され、運転者はその値を表示部１３で認識できる。この場合、ＣＯ２総排出量が基準値を超えるとき、警告部１４から運転者にその旨がスピーカ等で警告される。
【００３３】
一方、運行終了後に、管理センタ２から、運行の各時点におけるＣＯ２総排出量を含むエコドライブ評価シートのような評価シートが発行される（ステップＳ４）。そして、この評価シートに基づいて、運転者はエコドライブのための運転方法などを認識できるので、運転方法の工夫などにより燃料消費量およびＣＯ２総排出量などが改善される（ステップＳ５）。
【００３４】
こうして、本発明は、モード判別手段２４により、車両の加速度に基づき、当該運転時における複数の運転モードを判別し、燃料消費量演算手段２５により、各運転モードごとのエンジン回転数から導出した演算吸入空気量に基づいて、燃料消費量を演算できる。そして、ＣＯ２総排出量演算手段２６により、燃料消費量に基づいてＣＯ２総排出量を演算できる。これにより、正確な燃料消費量およびＣＯ２総排出量の取得が可能となる。また、ＥＣＵを搭載していない車両でも正確な燃料消費量およびＣＯ２総排出量を取得できる。
【００３５】
なお、この実施形態では、補正値Ｃ１〜Ｃ４、理論空気量、燃料密度、燃料１リットル当たりのＣＯ２排出重量を、それぞれ燃料をガソリンまたは軽油とする車両についての数値を使用しているが、燃料を異にする各種車両では、それぞれに適合する数値が使用される。
【００３６】
例えば、ハイブリッド車両では、別途、各運転モードに応じた補正値を設けてＣＯ２総排出量を算出する。なお、燃料を軽油とするディーゼル車両では、この実施形態のように、理論空燃比の１４．９よりも値の小さい理論空気量を使用して算出するのが好ましい。
【００３７】
なお、この実施形態では、センサ部３からの車両情報に基づき、ＣＯ２総排出量を演算しているが、ＥＣＵから得られるエンジンにおける燃料の噴射時間やアクセル開度のデータ等を補正係数に用いて演算するようにしてもよい。
【００３８】
また、この実施形態では、各運転モードごとの演算吸入空気量の演算に際して、エアコン情報に基づくエアコン係数および機械抵抗損失補正値で補正しているが、必要に応じてこれらのいずれかまたは全部を用いて補正しなくてもよい。
【００３９】
なお、この実施形態では、管理センタ２の解析部２３で運行データを解析しているが、車載本体部１のＣＰＵ１０に解析部を設けて、車載本体部１内で解析するようにしてもよい。
【符号の説明】
【００４０】
１：車載本体部
２：管理センタ
３：センサ部
４：加速度センサ  
５：速度センサ
６：エンジン回転数センサ
７：エアコンセンサ
９：通信手段
１０：ＣＰＵ(制御部)
１４：警告部
２３：解析部
２４：モード判別手段
２５：燃料消費量演算手段
２６：ＣＯ２総排出量演算手段  
【図１】
2010102699.tif 000003
【図２】
2010102699.tif 000004